(57)【要約】【課題】  例えば、小型、広角、高変倍比、および光学性能の点で有利なズームレンズを提供することを目的とする。【解決手段】  ズームレンズは、物体側から像側へ順に、正の屈折力を有し、ズーミングのためには移動しない第１レンズ群と、負の屈折力を有し、ズーミングのために移動する第２レンズ群と、負の屈折力を有し、ズーミングのために移動する第３レンズ群と、正の屈折力を有し、ズーミングのために移動する第４レンズ群と、正の屈折力を有し、ズーミングのためには移動しない第５レンズ群と、を有し、前記第１レンズ群は少なくとも３枚のレンズを有し、前記第１レンズ群の焦点距離と、広角端の焦点距離と、広角端での前記第３レンズ群の最も像側の面と前記第４レンズ群の最も物体側の面との間の距離と、広角端での前記第２レンズ群の最も像側の面と前記第３レンズ群の最も物体側の面との間の距離と、を適切に設定することを特徴とする。【選択図】  図１
2020106577.tif 000002
【特許請求の範囲】
【請求項１】
物体側から像側へ順に、正の屈折力を有し、ズーミングのためには移動しない第１レンズ群と、負の屈折力を有し、ズーミングのために移動する第２レンズ群と、負の屈折力を有し、ズーミングのために移動する第３レンズ群と、正の屈折力を有し、ズーミングのために移動する第４レンズ群と、正の屈折力を有し、ズーミングのためには移動しない第５レンズ群と、を有し、
前記第１レンズ群は少なくとも３枚のレンズを有し、
前記第１レンズ群の焦点距離をｆ１とし、広角端の焦点距離をｆｗとし、広角端での前記第３レンズ群の最も像側の面と前記第４レンズ群の最も物体側の面との間の距離をＬ３４ｗとし、広角端での前記第２レンズ群の最も像側の面と前記第３レンズ群の最も物体側の面との間の距離をＬ２３ｗとして、
９．３５＜ｆ１／ｆｗ＜３５．００
０．７０＜Ｌ３４ｗ／ｆｗ＜５．００
３．９５＜Ｌ２３ｗ／Ｌ３４ｗ＜１０．００
なる条件式を満足することを特徴とするズームレンズ。
【請求項２】
広角端から望遠端までの前記第２レンズ群の移動量をＭ２とし、Ｍ２は、前記第２レンズ群が像側へ移動した場合に正の符号を有するものとして、
０．１３＜Ｌ３４ｗ／Ｍ２＜０．２３
なる条件式を満足することを特徴とする請求項１に記載のズームレンズ。
【請求項３】
前記第４レンズ群より像側に開口絞りを有し、
前記ズームレンズの最も物体側の面から像面までの長さをＬとして、
０．１７＜Ｌ２３ｗ／Ｌ＜０．２７
なる条件式を満足することを特徴とする請求項１または請求項２に記載のズームレンズ。
【請求項４】
前記第２レンズ群の焦点距離をｆ２として、
−５．４６＜ｆ２／ｆｗ＜−１．８１
なる条件式を満足することを特徴とする請求項１ないし請求項３のうちいずれか１項に記載のズームレンズ。
【請求項５】
前記第２レンズ群の焦点距離をｆ２とし、前記第４レンズ群の焦点距離をｆ４として、
−０．６０＜ｆ２／ｆ４＜−０．３２
なる条件式を満足することを特徴とする請求項１ないし請求項４のうちいずれか１項に記載のズームレンズ。
【請求項６】
望遠端での前記第２レンズ群の最も像側の面と前記第３レンズ群の最も物体側の面との間の距離をＬ２３ｔとして、
０．０３＜Ｌ２３ｔ／Ｌ２３ｗ＜０．０７
なる条件式を満足することを特徴とする請求項１ないし請求項５のうちいずれか１項に記載のズームレンズ。
【請求項７】
前記第３レンズ群の焦点距離をｆ３とし、前記第４レンズ群の焦点距離をｆ４として、
−１．２８＜ｆ３／ｆ４＜−０．７６
なる条件式を満足することを特徴とする請求項１ないし請求項６のうちいずれか１項に記載のズームレンズ。
【請求項８】
前記第３レンズ群が最も物体側に位置するズーム状態を中間ズーム状態とし、広角端での前記第１レンズ群の最も像側の面と前記第２レンズ群の最も物体側の面との間の距離をＬ１２ｗとし、前記中間ズーム状態での前記第１レンズ群の最も像側の面と前記第２レンズ群の最も物体側の面との間の距離をＬ１２ｍとし、前記中間ズーム状態での前記第２レンズ群の最も像側の面と前記第３レンズ群の最も物体側の面との間の距離をＬ２３ｍとして、
１．１０＜（Ｌ１２ｗ＋Ｌ２３ｗ）／（Ｌ１２ｍ＋Ｌ２３ｍ）＜１．６３
なる条件式を満足することを特徴とする請求項１ないし請求項７のうちいずれか１項に記載のズームレンズ。
【請求項９】
請求項１ないし請求項８のうちいずれか１項に記載のズームレンズと、
前記ズームレンズの像面に配された撮像素子と、
を有することを特徴とする撮像装置。
【発明の詳細な説明】
【技術分野】
【０００１】
本発明は、ズームレンズおよび撮像装置に関する。
【背景技術】
【０００２】
近年、モニタの高精細化に伴い、放送用テレビカメラや、ビデオカメラ、デジタルカメラ、監視カメラに搭載するズームレンズは、高性能化が図られている。その一方で、小型、広画角、および高変倍比が求められている。
【０００３】
小型および高変倍比を両立できるズームレンズとして、物体側より順に正の屈折力を有する第１レンズ群と、負の屈折力を有する第２レンズ群と、第２レンズ群より像側に配されて変倍に伴う像面移動を補正するレンズ群とを有するズームレンズが知られている。
【０００４】
特許文献１は、物体側より順に、正、負、負、正、および正の屈折力をそれぞれ有する５つのレンズ群を配し、変倍のためには第１レンズ群と第５レンズ群とが移動せず変倍比が５倍程度のズームレンズを開示している。特許文献２は、物体側より順に、正、負、負、正、および正の屈折力をそれぞれ有する５つのレンズ群を配し、変倍のためには第１レンズ群と第５レンズ群とが移動せず変倍比が３倍程度の望遠ズームレンズを開示している。
【先行技術文献】
【特許文献】
【０００５】
【特許文献１】特開平１−１２６６１４号公報
【特許文献２】特開２０１６−５０９４５号公報
【発明の概要】
【発明が解決しようとする課題】
【０００６】
特許文献１のズームレンズは、変倍比５程度に対して構成枚数は多く、全長が長い。更なる高倍化に対して、小型化に課題を有する。特許文献２のズームレンズは、第２レンズ群と第３レンズ群と第４レンズ群とをズームのために移動している。望遠ズームレンズのため、収差補正を優先した移動軌跡としても前玉径は増大し難いが、広角化に対しては前玉径増大の軽減に課題を有する。
【０００７】
本発明は、例えば、小型、広角、高変倍比、および光学性能の点で有利なズームレンズを提供することを目的とする。
【課題を解決するための手段】
【０００８】
上記目的を達成するために、本発明は、物体側から像側へ順に、正の屈折力を有し、ズーミングのためには移動しない第１レンズ群と、負の屈折力を有し、ズーミングのために移動する第２レンズ群と、負の屈折力を有し、ズーミングのために移動する第３レンズ群と、正の屈折力を有し、ズーミングのために移動する第４レンズ群と、正の屈折力を有し、ズーミングのためには移動しない第５レンズ群と、を有し、前記第１レンズ群は少なくとも３枚のレンズを有し、前記第１レンズ群の焦点距離をｆ１とし、広角端の焦点距離をｆｗとし、広角端での前記第３レンズ群の最も像側の面と前記第４レンズ群の最も物体側の面との間の距離をＬ３４ｗとし、広角端での前記第２レンズ群の最も像側の面と前記第３レンズ群の最も物体側の面との間の距離をＬ２３ｗとして、
９．３５＜ｆ１／ｆｗ＜３５．００
０．７０＜Ｌ３４ｗ／ｆｗ＜５．００
３．９５＜Ｌ２３ｗ／Ｌ３４ｗ＜１０．００
なる条件式を満足することを特徴とする。
【発明の効果】
【０００９】
本発明によれば、例えば、小型、広角、高変倍比、および光学性能の点で有利なズームレンズを提供することができる。
【図面の簡単な説明】
【００１０】
【図１】数値実施例１の光学系のレンズ断面図である。
【図２】数値実施例１の広角端における収差図である。
【図３】数値実施例１の中間焦点距離における収差図である。
【図４】数値実施例１の望遠端における収差図である。
【図５】数値実施例２の光学系のレンズ断面図である。
【図６】数値実施例２の広角端における収差図である。
【図７】数値実施例２の中間焦点距離における収差図である。
【図８】数値実施例２の望遠端における収差図である。
【図９】数値実施例３の光学系のレンズ断面図である。
【図１０】数値実施例３の広角端における収差図である。
【図１１】数値実施例３の中間焦点距離における収差図である。
【図１２】数値実施例３の望遠端における収差図である。
【図１３】数値実施例４の光学系のレンズ断面図である。
【図１４】数値実施例４の広角端における収差図である。
【図１５】数値実施例４の中間焦点距離における収差図である。
【図１６】数値実施例４の望遠端における収差図である。
【図１７】数値実施例５の光学系のレンズ断面図である。
【図１８】数値実施例５の広角端における収差図である。
【図１９】数値実施例５の中間焦点距離における収差図である。
【図２０】数値実施例５の望遠端における収差図である。
【図２１】各実施例のズームレンズを撮影光学系として用いた撮像装置の要部概略図である。
【発明を実施するための形態】
【００１１】
前記発明の効果を得るために、本発明では、物体側から順に、正の屈折力を有する第１レンズ群と、負の屈折力を有する第２レンズ群と、負の屈折力を有する第３レンズ群と、正の屈折力を有する第４レンズ群と、正の屈折力を有する第５レンズ群とを有し、高変倍比に適した構成としている。また、ズーミングのために少なくとも第２レンズ群と第３レンズ群と第４レンズ群を移動させ、前玉径の増大を抑制しながらズーミングに伴う収差変動を補正している。ズーミングに際して、質量の大きい第１レンズ群は像面に対して固定とし、ズーミング時の重心移動を抑制している。ズーミングに際して第５レンズ群は像面に対して固定している。なお、ズーミングのために、互いに隣接するレンズ群どうしの間隔はいずれも変化する。
【００１２】
５群構成のズームレンズの場合、第５レンズ群の全体か一部を移動させることでフランジバック調整を行なえる構成としている。なお、製造誤差や温度などの環境変化が生じると、最適なフランジバック調整量はズーミング位置ごとに異なるため、設計値ではズーミングに際して第５レンズ群は像面に対して固定であるが、製造誤差や使用環境に応じて第５レンズ群の全体か一部をズーミングに際して移動させても構わない。また、６群構成のズームレンズの場合、第６レンズ群の変倍に際して移動する構成としており、製造誤差や使用環境に応じて移動軌跡を変化させても構わない。第１レンズ群は３枚以上のレンズで構成し、特に望遠側での軸上色収差と球面収差の補正を行なっている。
【００１３】
更に、以下の条件式（１）〜（３）を満足している。
９．３５＜ｆ１／ｆｗ＜３５．００  …（１）
０．７０＜Ｌ３４ｗ／ｆｗ＜５．００  …（２）
３．９５＜Ｌ２３ｗ／Ｌ３４ｗ＜１０．００  …（３）
但し、ｆ１は第１レンズ群の焦点距離、ｆｗは広角端の焦点距離、Ｌ３４ｗは広角端での第３レンズ群の最も像側の面と第４レンズ群の最も物体側の面の距離、Ｌ２３ｗは広角端での第２レンズ群の最も像側の面と第３レンズ群の最も物体側の面の距離とする。
【００１４】
条件式（１）は第１レンズ群の焦点距離と広角端の焦点距離の比を規定した式である。条件式（１）の上限値を超えた場合、第１レンズ群の屈折力が弱くなり全長が長くなるため好ましくない。逆に条件式（１）の下限値を超えた場合、第１レンズ群の屈折力が強くなり望遠端での球面収差や中間焦点距離での歪曲収差の補正が困難となる。また、所望の仕様を確保するには第２レンズ群の屈折力も強くなり易く、ズーミングに際する像面湾曲の補正が困難となる。なお、本明細書においては、ズーミングに際して第３レンズ群が最も物体側に位置するズーム位置を「中間焦点距離（中間ズーム状態）」と呼ぶこととする。
【００１５】
条件式（２）は広角端での第３レンズ群の最も像側の面と第４レンズ群の最も物体側の面の距離と広角端の焦点距離の比を規定した式である。負の屈折力を有する第３レンズ群と正の屈折力を有する第４レンズ群を隣接して配し、ズーミングに際する像面補正のための移動軌跡は、特に広角端から中間焦点距離にかけて類似させている。そのため、条件式（２）の上限値を超えた場合、広角端から中間焦点距離にかけて、第３レンズ群と第４レンズ群を物体側へ移動できる量が小さくなり、前玉径が大きくなり好ましくない。逆に条件式（２）の下限値を超えた場合、第３レンズ群と第４レンズ群合成の屈折力を保つために互いの屈折力が強くなり易く、ズーミングに際するコマ収差や軸上色収差変動の補正が困難となる。
【００１６】
条件式（３）は広角端での前記第２レンズ群の最も像側の面と前記第３レンズ群の最も物体側の面の距離と広角端での第３レンズ群の最も像側の面と第４レンズ群の最も物体側の面の距離の比を規定した式である。条件式（３）の上限値を超えた場合、広角端での第２レンズ群の最も像側の面と第３レンズ群の最も物体側の面の距離が長くなり、第３レンズ群の径が大きくなり好ましくない。逆に条件式（３）の下限値を超えた場合、広角端から中間焦点距離にかけて、第３レンズ群と第４レンズ群を物体側へ移動できる量が小さくなり、前玉径が大きくなり好ましくない。
【００１７】
以上で本発明の目的は達成されるが、本発明は、以下の条件式を満足するのが望ましい。
０．１３＜Ｌ３４ｗ／Ｍ２＜０．２３  …（４）
但し、Ｍ２は広角端から望遠端までの第２レンズ群の移動量とし、広角端に対して望遠端で第２レンズ群が像側に位置する場合に正の符号とする。
【００１８】
条件式（４）は広角端での第３レンズ群の最も像側の面と第４レンズ群の最も物体側の面の距離と第２レンズ群の移動量の比を規定した式である。条件式（４）の上限値を超えた場合、広角端から中間焦点距離にかけて、第３レンズ群と第４レンズ群を物体側へ移動できる量が小さくなり、前玉径が大きくなり好ましくない。逆に条件式（４）の下限値を超えた場合、広角端での第２レンズ群の最も像側の面と第３レンズ群の最も物体側の面の距離が長くなり、第３レンズ群の径が大きくなり好ましくない。
【００１９】
また、本発明は、開口絞りを第４レンズ群より像側に配し、以下の条件式を満足するのが望ましい。
０．１７＜Ｌ２３ｗ／Ｌ＜０．２７  …（５）
但し、Ｌは総全長である。総全長は最も物体側のレンズの最も物体側の面から像面までの距離とし、レンズと像面の間にＣＣＤのフェースプレートやローパスフィルター等のガラスブロックがある場合、ガラスブロックでバックフォーカスが伸びる分も加味して像面位置を定めている。
【００２０】
条件式（５）は広角端での前記第２レンズ群の最も像側の面と第３レンズ群の最も物体側の面の距離と総全長との比を規定した式である。条件式（５）の上限値を超えた場合、広角端での入射瞳位置が長くなることで前玉径が大きくなり好ましくない。逆に条件式（５）の下限値を超えた場合、所望の変倍比を確保するためには第２レンズ群の屈折力が強くなり易く、ズーミングに際する像面湾曲の補正が困難となる。
【００２１】
また、本発明は、以下の条件式を満足するのが望ましい。
−５．４６＜ｆ２／ｆｗ＜−１．８１  …（６）
但し、ｆ２は第２レンズ群の焦点距離とする。
【００２２】
条件式（６）は第２レンズ群の焦点距離と広角端の焦点距離との比を規定した式である。条件式（６）の上限値を超えた場合、第２レンズ群の屈折力が強くなり、ズーミングに際する像面湾曲の補正が困難となる。逆に条件式（６）の下限値を超えた場合、第２レンズ群の屈折力が弱くなり、所望の仕様を確保するためには全長や前玉径が大きくなり好ましくない。
【００２３】
また、本発明は、以下の条件式を満足するのが望ましい。
−０．６０＜ｆ２／ｆ４＜−０．３２  …（７）
但し、ｆ４は第４レンズ群の焦点距離とする。
【００２４】
条件式（７）は第２レンズ群の焦点距離と第４レンズ群の焦点距離の比を規定した式である。条件式（７）の上限値を超えた場合、第２レンズ群の屈折力が強くなり、ズーミングに際する像面湾曲変動の補正が困難となる。逆に条件式（７）の下限値を超えた場合、第４レンズ群の屈折力が強くなり、ズーミングに際するコマ収差や軸上色収差変動の補正が困難となる。
【００２５】
また、本発明は、以下の条件式を満足するのが望ましい。
０．０３＜Ｌ２３ｔ／Ｌ２３ｗ＜０．０７  …（８）
但し、Ｌ２３ｔは望遠端での第２レンズ群の最も像側の面と第３レンズ群の最も物体側の面の距離とする。
【００２６】
条件式（８）は広角端での第２レンズ群の最も像側の面と前記第３レンズ群の最も物体側の面の距離と望遠端での第２レンズ群の最も像側の面と第３レンズ群の最も物体側の面の距離の比を規定した式である。望遠端付近で第２レンズ群と第３レンズ群の間隔が近づくと効率良く変倍比が確保できる。条件式（８）の上限値を超えた場合、望遠端付近で第２レンズ群と第３レンズ群の間隔が広くなり、効率良く変倍比を稼ぐことが困難となる。逆に条件式（９）の下限値を超えた場合、望遠端で第２レンズ群と第３レンズ群を保持する部材が干渉し易くなってしまい好ましくない。
【００２７】
また、本発明は、以下の条件式を満足するのが望ましい。
−１．２８＜ｆ３／ｆ４＜−０．７６  …（９）
但し、ｆ３は第３レンズ群の焦点距離とする。
【００２８】
条件式（９）は第３レンズ群の焦点距離と第４レンズ群の焦点距離の比を定めた式である。条件式（９）の上限値を超えた場合、第３レンズ群の屈折力が強くなり、広角端で所望の画角を確保するためには第２レンズ群の屈折力が弱くなり易く、小型で高変倍比を得るのが困難となる。逆に条件式（９）の下限値を超えた場合、第４レンズ群の屈折力が強くなり、ズーミングに際するコマ収差や軸上色収差変動の補正が困難となる。
【００２９】
また、本発明は、以下の条件式を満足するのが望ましい。
１．１０＜（Ｌ１２ｗ＋Ｌ２３ｗ）／（Ｌ１２ｍ＋Ｌ２３ｍ）＜１．６３…（１０）
但し、Ｌ１２ｗは広角端での第１レンズ群の最も像側の面と第２レンズ群の最も物体側の面の距離、Ｌ１２ｍは中間焦点距離での第１レンズ群の最も像側の面と第２レンズ群の最も物体側の面の距離、Ｌ２３ｍは中間焦点距離での第２レンズ群の最も像側の面と第３レンズ群の最も物体側の面の距離とする。また、中間焦点距離はズーミングに際して第３レンズ群が最も物体側に位置するズーミング位置とする。
【００３０】
条件式（１０）のは広角端での第１レンズ群の最も像側の面と第２レンズ群の最も物体側の面の距離と広角端での第２レンズ群の最も像側の面と第３レンズ群の最も物体側の面の距離の和と中間焦点距離での第１レンズ群の最も像側の面と第２レンズ群の最も物体側の最も面の距離と中間焦点距離での第２レンズ群の最も像側の面と第３レンズ群の最も物体側の面の距離の和の比を規定した式である。条件式（１０）の上限値を超えた場合、広角端から中間焦点距離にかけて第３レンズ群の移動量が大きく、移動させる機構の構築が困難となる。逆に条件式（１０）の下限値を超えた場合、広角端から中間焦点距離にかけて第３レンズ群の移動量が小さく、前玉径増大の抑制とズーミングに際する像面湾曲変動の補正の両立が困難となる。
【００３１】
なお、条件式（１）〜（１０）の数値範囲は以下の如く特定するのが更に望ましい。
９．３５＜ｆ１／ｆｗ＜２０．４２  …（１ａ）
１．０１＜Ｌ３４ｗ／ｆｗ＜３．４６  …（２ａ）
３．９５＜Ｌ２３ｗ／Ｌ３４ｗ＜７．５５  …（３ａ）
０．１３４＜Ｌ３４ｗ／Ｍ２＜０．２２４  …（４ａ）
０．１８＜Ｌ２３ｗ／Ｌ＜０．２６  …（５ａ）
−５．２１＜ｆ２／ｆｗ＜−１．９１  …（６ａ）
−０．５７＜ｆ２／ｆ４＜−０．３４  …（７ａ）
０．０３６＜Ｌ２３ｔ／Ｌ２３ｗ＜０．０６５  …（８ａ）
−１．２３＜ｆ３／ｆ４＜−１．０４  …（９ａ）
１．１９５＜（Ｌ１２ｗ＋Ｌ２３ｗ）／（Ｌ１２ｍ＋Ｌ２３ｍ）＜１．５５３
…（１０ａ）
【００３２】
以下に、本発明の好ましい実施の形態を、添付の図面に基づいて詳細に説明する。
図１、５、９、１３、１７は、後述する数値実施例１〜５のレンズ断面図、図２〜４、６〜８、１０〜１２、１４〜１６、１８〜２０はそれぞれ各数値実施例の収差図である。図２〜４、６〜８、１０〜１２、１４〜１６、１８〜２０において、図２、６、１０、１４、１８は広角端における収差図、図３、７、１１、１５、１９は中間焦点距離における収差図、図４、８、１２、１６、２０は望遠端における収差図である。収差図において、ｄ、ｇはｄ線及びｇ線、Ｍ、Ｓはメリジオナル像面、サジタル像面、倍率色収差はｇ線によって表している。
【００３３】
図１、５、９、１３、１７のレンズ断面図において、Ｌ１〜Ｌ６はそれぞれ第１〜６レンズ群、ＳＰは絞り、ＰはＣＣＤのフェースプレートやローパスフィルター等のガラスブロック、Ｉは像面である。本実施形態においては、広角端から望遠端へのズーミングに際して、図１、５、９、１３、１７の矢印のように各群を移動させている。無限遠物体から近距離物体に合焦する際に、数値実施例１と数値実施例４と数値実施例５では第１レンズ群の物体側から４番目のレンズと５番目のレンズが別々の軌跡で移動し、数値実施例２と数値実施例３では第１レンズ群の物体側から４番目のレンズと５番目のレンズは一体に移動し、６番目のレンズは、４番目のレンズと５番目のレンズとは別の軌跡で移動している。
【００３４】
以下に本発明の数値実施例を記載する。
数値実施例において、ｒｉは物体側より順に第ｉ番目の面の曲率半径、ｄｉは第ｉ番目の面と第ｉ＋１番目の面の間隔（レンズ厚あるいは空気間隔）、ｎｄｉとνｄｉはそれぞれ第ｉ番目の面と第ｉ＋１番目の面の間の光学媒体の屈折率とアッベ数である。なお、アッベ数νは、フラウンフォーファ線のＦ線（波長４８６．１ｎｍ）、ｄ線（波長５８７．６ｎｍ）、Ｃ線（波長６５６．３ｎｍ）に対する屈折率をそれぞれＮＦ、Ｎｄ、ＮＣとして、
ν＝（Ｎｄ−１）／（ＮＦ−ＮＣ）
で表される。非球面形状は、光軸方向にＸ軸、光軸と垂直方向ｈ軸、光の進行方向を正とし、Ｒを近軸曲率半径、各非球面係数をｋ、Ａ４、Ａ６、Ａ８としたとき、
【数１】
2020106577.tif 000003
なる式で表している。また、例えば「ｅ−Ｚ」の表示は「×１０−Ｚ」を意味する。
半画角は光線追跡で求めた値である。ＢＦはバックフォーカス（空気換算長）である。
【００３５】
［数値実施例１］
単位 mm
面データ
面番号       r        d      nd         vd
1       -186.052    2.90   1.74951    35.3           
2        128.618    4.83                             
3        328.137   10.20   1.43387    95.1           
4       -134.562    0.20                             
5        213.224    8.45   1.43387    95.1           
6       -214.754    8.03                             
7         95.552   12.05   1.49700    81.5           
8       -207.109    0.35                             
9         62.729    4.90   1.71300    53.9           
10         99.796  (可変)                             
11*       134.196    1.03   2.00330    28.3           
12         15.272    6.81                             
13        -39.130    4.99   1.92286    18.9           
14        -15.307    0.94   1.91082    35.3           
15         53.095    0.13                             
16         33.929    4.43   1.76182    26.5           
17        -83.382  (可変)                             
18        -34.332    0.95   1.91082    35.3           
19         65.514    2.35   1.95906    17.5           
20       -177.100  (可変)                             
21       2549.998    3.37   1.91650    31.6           
22        -47.747    0.18                             
23         52.359    6.49   1.54072    47.2           
24        -39.026    1.15   1.92286    20.9           
25       -369.534  (可変)                             
26(絞り)    ∞      42.83                             
27          ∞       3.49   1.92286    20.9           
28        -44.715    0.16                             
29       1268.077    3.74   1.49700    81.5           
30        -36.557    1.00   2.00069    25.5           
31       1093.299    0.15                             
32         85.762    5.88   1.49700    81.5           
33        -26.892    1.00   1.95375    32.3           
34       -116.990    2.67                             
35         49.511    4.66   1.48749    70.2           
36        -62.951    4.48                             
37          ∞      33.00   1.60859    46.4           
38          ∞      13.20   1.51633    64.1           
39          ∞       7.05                             
像面        ∞   
非球面データ
第11面
K = 2.72741e+000  A 4= 1.45015e-006  A 6=-1.11016e-008  A 8= 5.14673e-012  
【００３６】
各種データ
ズーム比     23.98 
広角     中間     望遠
焦点距離       7.90    28.16   189.51  
Fナンバー      1.86     1.86     3.02  
半画角        38.10    10.70     1.65  
像高           5.50     5.50     5.50  
レンズ全長   263.42   263.42   263.42  
BF            40.70    40.70    40.70  
d10            1.00    36.38    60.63  
d17           60.46     7.48     2.65  
d20            8.41    16.83     0.76  
d25            2.53    11.73     8.37  
ズームレンズ群データ
群  始面    焦点距離  
1    1      75.76  
2   11     -15.85  
3   18     -49.68  
4   21      42.55  
5   27      50.40  
【００３７】
［数値実施例２］
単位 mm
面データ
面番号       r        d      nd         vd
1       -236.998    3.70   1.73800    32.3           
2        137.818    3.60                             
3        249.070   10.64   1.43387    95.1           
4       -237.407    7.97                             
5        321.735    8.51   1.43387    95.1           
6       -267.689    7.89                             
7        127.373   10.16   1.43387    95.1           
8       -641.940    2.80                             
9        137.749    8.74   1.43387    95.1           
10       -325.003    0.37                             
11         66.278    4.53   1.78590    44.2           
12         98.347  (可変)                             
13*       103.193    1.11   2.00330    28.3           
14         16.838    6.92                             
15        -39.127    5.49   1.92286    18.9           
16        -15.600    0.96   1.91082    35.3           
17         54.507    0.17                             
18         37.294    4.93   1.76182    26.5           
19        -88.891  (可変)                             
20        -34.184    1.12   1.91082    35.3           
21         64.438    2.37   1.95906    17.5           
22       -175.926  (可変)                             
23      -1825.592    3.33   1.91650    31.6           
24        -51.524    0.92                             
25         61.365    7.69   1.54072    47.2           
26        -40.270    1.18   1.92286    20.9           
27       -262.901  (可変)                             
28(絞り)    ∞      44.13                             
29       1220.574    4.81   1.92286    20.9           
30        -50.605    0.94                             
31       -639.190    4.80   1.49700    81.5           
32        -40.589    1.06   2.00069    25.5           
33       1608.902    0.17                             
34         69.506    6.74   1.49700    81.5           
35        -26.750    1.14   1.95375    32.3           
36       -103.354    0.17                             
37         58.521    5.29   1.48749    70.2           
38        -45.665  (可変)                             
39        -85.128    1.04   1.74400    44.8           
40       -150.049  (可変)                             
41          ∞      33.00   1.60859    46.4           
42          ∞      13.20   1.51633    64.1           
43          ∞       7.05                             
像面        ∞   
非球面データ
第13面
K = 1.11989e+001  A 4=-1.27604e-006  A 6=-6.29748e-009  A 8=-3.17689e-012  
【００３８】
各種データ
ズーム比     24.00 
広角     中間     望遠
焦点距離       8.22    31.37   197.31  
Fナンバー      1.86     1.86     3.02  
半画角        37.00     9.71     1.58  
像高           5.50     5.50     5.50  
レンズ全長   296.76   296.76   296.76  
BF            41.80    41.25    40.70  
d12            0.96    37.66    60.66  
d19           61.51     4.58     3.79  
d22           12.18    20.43     0.85  
d27            4.08    16.05    13.43  
d38            0.84     1.38     1.94  
d40            5.58     5.04     4.48  
ズームレンズ群データ
群  始面    焦点距離  
1    1      76.96  
2   13     -17.29  
3   20     -49.57  
4   23      47.90  
5   29      45.81  
6   39    -264.88  
【００３９】
［数値実施例３］
単位 mm
面データ
面番号       r        d      nd         vd
1       -348.903    5.85   1.72047    34.7           
2        260.942   19.54                             
3        389.887   21.29   1.43387    95.1           
4       -277.931    0.17                             
5        934.682   10.54   1.43387    95.1           
6       -504.252   42.00                             
7        301.689    7.39   1.43387    95.1           
8        892.847    0.17                             
9        256.126   16.62   1.49700    81.5           
10       -600.581    0.30                             
11        150.765    6.23   1.77250    49.6           
12        226.616  (可変)                             
13*       327.553    1.63   2.05090    26.9           
14         26.176   11.08                             
15        -51.888    5.54   1.94595    18.0           
16        -27.075    1.57   1.90366    31.3           
17        328.882    0.80                             
18         75.299    9.76   1.71736    29.5           
19        -57.684  (可変)                             
20        -53.614    1.16   1.88300    40.8           
21         78.992    2.38   1.95906    17.5           
22       1409.071  (可変)                             
23        423.128    2.99   2.05090    26.9           
24       -109.301    0.29                             
25        140.934    5.44   1.59522    67.7           
26        -59.562    1.36   2.00069    25.5           
27       -300.371  (可変)                             
28(絞り)    ∞      61.67                             
29       -119.437    2.38   1.95906    17.5           
30        -62.113    0.34                             
31        225.070    3.33   1.49700    81.5           
32        -97.343    1.32   1.94595    18.0           
33       -451.657  (可変)                             
34         61.723    7.47   1.49700    81.5           
35        -51.194    1.26   1.95375    32.3           
36        327.371    0.17                             
37         49.821    5.09   1.48749    70.2           
38       -138.415  (可変)                             
39          ∞      33.00   1.60859    46.4           
40          ∞      13.20   1.51633    64.1           
41          ∞       7.05                             
像面        ∞   
非球面データ
第13面
K = 1.01215e+002  A 4= 3.60647e-007  A 6= 1.92842e-010  A 8=-8.25821e-013  
【００４０】
各種データ
ズーム比     26.00 
広角     中間     望遠
焦点距離       8.38    30.99   217.92  
Fナンバー      1.85     1.85     1.85  
半画角        36.50     9.90     1.45  
像高           5.50     5.50     5.50  
レンズ全長   482.98   482.98   482.98  
BF            50.56    52.36    50.83  
d12            1.00    88.70   147.22  
d19          123.83    18.68     6.75  
d22           27.66    31.68    10.91  
d27           17.02    30.45     4.63  
d33            5.78     3.97     5.51  
d38           14.34    16.15    14.61  
ズームレンズ群データ
群  始面    焦点距離  
1    1     163.04  
2   13     -41.58  
3   20     -61.71  
4   23      76.84  
5   29     136.55  
6   34     107.00  
【００４１】
［数値実施例４］
単位 mm
面データ
面番号       r        d      nd         vd
1       -197.978    3.14   1.74951    35.3           
2        143.003    3.58                             
3        341.264    8.50   1.43387    95.1           
4       -174.898    0.17                             
5        258.949    7.83   1.43387    95.1           
6       -221.304    9.99                             
7        101.037   11.63   1.49700    81.5           
8       -228.851    0.30                             
9         64.794    5.60   1.71300    53.9           
10        113.231  (可変)                             
11*       114.593    1.63   2.00330    28.3           
12         16.942    7.25                             
13        -45.488    3.91   1.92286    18.9           
14        -20.354    1.01   1.91082    35.3           
15         58.941    0.19                             
16         36.179    5.54   1.76182    26.5           
17        -64.840  (可変)                             
18        -27.040    1.04   1.91082    35.3           
19         33.092    3.94   1.95906    17.5           
20       -463.010  (可変)                             
21       -401.161    4.47   1.91650    31.6           
22        -42.513    0.17                             
23         52.315    6.35   1.54072    47.2           
24        -38.211    1.10   1.92286    20.9           
25       -274.701  (可変)                             
26(絞り)    ∞      29.43                             
27       -536.341    4.49   1.92286    20.9           
28        -44.890    0.20                             
29        885.686    4.15   1.49700    81.5           
30        -37.549    1.03   2.00069    25.5           
31      -1558.702    0.17                             
32         84.403    5.59   1.49700    81.5           
33        -28.719    1.02   1.95375    32.3           
34       -129.940    0.46                             
35         52.204    4.15   1.48749    70.2           
36        -64.620    6.27                             
37          ∞      33.00   1.60859    46.4           
38          ∞      13.20   1.51633    64.1           
39          ∞       7.05                             
像面        ∞   
非球面データ
第11面
K =-4.95947e+001  A 4= 4.52629e-006  A 6=-9.11647e-009  A 8= 3.23124e-012  
【００４２】
各種データ
ズーム比     14.00 
広角     中間     望遠
焦点距離       8.66    26.09   121.29  
Fナンバー      1.86     1.86     2.19  
半画角        35.10    11.80     2.60  
像高           5.50     5.50     5.50  
レンズ全長   253.36   253.36   253.36  
BF            42.48    42.48    42.48  
d10            1.00    34.62    61.04  
d17           51.71     7.59     1.95  
d20           12.78    15.91     7.27  
d25            7.37    14.74     2.61  
ズームレンズ群データ
群  始面    焦点距離  
1    1      81.67  
2   11     -21.47  
3   18     -33.39  
4   21      41.80  
5   27      49.94  
【００４３】
［数値実施例５］
単位 mm
面データ
面番号       r        d      nd         vd
1       -215.529    3.49   1.90525    35.0           
2        151.264    3.22                             
3        340.376   11.55   1.43387    95.1           
4       -129.555    0.17                             
5        181.962    8.94   1.43387    95.1           
6       -221.119    8.06                             
7        105.065   10.80   1.49700    81.5           
8       -225.380    0.27                             
9         66.489    5.21   1.75500    52.3           
10        117.118  (可変)                             
11*       172.395    1.07   2.00330    28.3           
12         17.254    5.81                             
13        -70.292    7.35   1.80810    22.8           
14        -14.489    0.92   1.89190    37.1           
15         66.156    0.17                             
16         37.831    2.85   1.92286    18.9           
17        328.345  (可変)                             
18        -33.033    1.19   1.90525    35.0           
19         56.590    2.47   1.95906    17.5           
20       -212.557  (可変)                             
21       -518.579    3.41   1.95375    32.3           
22        -42.507    0.17                             
23         52.727    6.42   1.54814    45.8           
24        -37.111    1.10   1.92286    20.9           
25       -458.034  (可変)                             
26(絞り)    ∞      43.04                             
27      20763.513    3.25   1.92286    20.9           
28        -48.780    0.44                             
29         92.706    4.25   1.49700    81.5           
30        -44.260    1.00   2.00069    25.5           
31        343.117    0.17                             
32        145.946    4.95   1.49700    81.5           
33        -28.169    1.23   1.90366    31.3           
34       -184.522    3.07                             
35         58.074    5.52   1.48749    70.2           
36        -55.291    2.92                             
37          ∞      33.00   1.60859    46.4           
38          ∞      13.20   1.51633    64.1           
39          ∞       7.05                             
像面        ∞   
非球面データ
第11面
K =-1.90833e+001  A 4= 3.68173e-006  A 6=-5.40042e-009  A 8= 3.23968e-013  
【００４４】
各種データ
ズーム比     23.99 
広角     中間     望遠
焦点距離       7.90    29.64   189.51  
Fナンバー      1.86     1.86     3.02  
半画角        37.80    10.20     1.64  
像高           5.50     5.50     5.50  
レンズ全長   264.53   264.53   264.53  
BF            39.14    39.14    39.14  
d10            0.86    36.33    59.98  
d17           60.57     6.19     2.74  
d20            8.54    16.92     0.83  
d25            3.87    14.39    10.29  
ズームレンズ群データ
群  始面    焦点距離  
1    1      75.57  
2   11     -15.86  
3   18     -46.09  
4   21      41.58  
5   27      49.81  
【００４５】
前述の各条件式と数値実施例における諸数値との関係を表−１に示す。
【表１】
2020106577.tif 000004
【００４６】
以上説明したように、各実施例によれば、小型且つ広角高倍で、光学性能が良好なズームレンズを実現する事ができる。
【００４７】
次に、上述した各ズームレンズを撮像光学系として用いた撮像装置について説明する。図２１は各実施例のズームレンズを撮影光学系として用いた撮像装置（テレビカメラシステム）の要部概略図である。図２１において１０１は数値実施例１〜５のいずれか１つのズームレンズである。
【００４８】
１２４はカメラである。ズームレンズ１０１はカメラ１２４に対して着脱可能になっている。１２５はカメラ１２４にズームレンズ１０１を装着することにより構成される撮像装置である。ズームレンズ１０１は第１レンズ群１１４、ズーミング時に移動する第２、第３、第４レンズ群を含む変倍部１１５、結像用の第５レンズ群、または第５、第６レンズ群１１６を有している。ＳＰは開口絞りである。１１６は、光路中より挿抜可能な変倍光学系ＩＥを有している。
【００４９】
変倍部１１５には、光軸方向に駆動されるための駆動機構が備わっている。１１７、１１８は変倍部１１５及び開口絞りＳＰを電動駆動するモータ等の駆動手段である。１１９、１２０は、変倍部１１５中の各レンズ群の光軸上の位置と、開口絞りＳＰの絞り径を検出するためのエンコーダやポテンショメータ、あるいはフォトセンサ等の検出器である。１１６中に光軸方向に移動するレンズ群がある場合は、１１６にも変倍部１１５同様に光軸方向に駆動させるための駆動機構や位置検出器を備えても良い。なお、変倍部１１５及び１１６中の各レンズ群の駆動軌跡は、ヘリコイドやカムなどの機械的軌跡や、超音波モータなどによる電気的軌跡のどちらであっても構わない。
【００５０】
カメラ１２４において、１０９はカメラ１２４内の光学フィルターや色分解プリズムに相当するガラスブロック、１１０はズームレンズ１０１によって形成された被写体像（光学像）を受光するＣＣＤセンサやＣＭＯＳセンサ等の固体撮像素子（光電変換素子）である。また、１１１、１２２はカメラ１２４及びズームレンズ１０１の各種の駆動を制御するＣＰＵである。このように本発明のズームレンズをテレビカメラに適用することにより、高い光学性能を有する撮像装置を実現している。
【００５１】
なお、撮像素子にＣＣＤ等の電子撮像素子を用いれば、電子的に収差補正をする事で出力画像を更に高画質化する事ができる。
【００５２】
以上、本発明の好ましい実施形態について説明したが、本発明はこれらの実施形態に限定されず、その要旨の範囲内で種々の変形及び変更が可能である。
【符号の説明】
【００５３】
Ｌ１  第１レンズ群
Ｌ２  第２レンズ群
Ｌ３  第３レンズ群
Ｌ４  第４レンズ群
Ｌ５  第５レンズ群
【図１】
2020106577.tif 000005
【図２】
2020106577.tif 000006
【図３】
2020106577.tif 000007
【図４】
2020106577.tif 000008
【図５】
2020106577.tif 000009
【図６】
2020106577.tif 000010
【図７】
2020106577.tif 000011
【図８】
2020106577.tif 000012
【図９】
2020106577.tif 000013
【図１０】
2020106577.tif 000014
【図１１】
2020106577.tif 000015
【図１２】
2020106577.tif 000016
【図１３】
2020106577.tif 000017
【図１４】
2020106577.tif 000018
【図１５】
2020106577.tif 000019
【図１６】
2020106577.tif 000020
【図１７】
2020106577.tif 000021
【図１８】
2020106577.tif 000022
【図１９】
2020106577.tif 000023
【図２０】
2020106577.tif 000024
【図２１】
2020106577.tif 000025